【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
通信リンクによりビデオソースに接続されたデジタル表示装置において、選択されたピクセル素子を、カラムドライバに含まれる前記表示装置の固有水平ライン解像度に一致する数の複数のデータラッチによって駆動する、パケットベースの方法であって、
（ａ）前記ビデオソースから前記通信リンクを介して複数のビデオデータパケットをリンクレートで前記カラムドライバに直接供給する動作と、
（ｂ）ビデオデータパケットに基づいて、適切なビデオデータをライン期間τ内に前記複数のデータラッチのそれぞれに取り込む動作と、
（ｃ）前記ビデオデータに基づいて、選択されたピクセル素子を駆動する動作と、
（ｄ）１ビデオフレーム中のすべてのフレームラインに対して（ａ）〜（ｃ）の動作を繰り返す動作と、を備え、
前記工程（ｂ）は、前記複数のデータラッチがポイント・ツー・ポイントのデイジーチェーン構成において互いに直接接続されているために、前記表示装置におけるピクセルクロックに対するいかなる要件も排除される動作である、方法。
【請求項２】
請求項１記載の方法であって、さらに、
リンクによって前記デジタル表示装置に連結されたビデオソースにおいて、ビデオ信号を生成する動作と、
前記ビデオ信号に基づいて、パケットベースのビデオストリームを形成する動作と、
前記パケットベースのビデオストリームを、前記リンクレートで前記リンクによって前記デジタル表示装置に伝送する動作と、を備える方法。
【請求項３】
請求項２記載の方法であって、
前記デジタル表示装置は、前記リンクに連結された記憶装置であって、前記動作（ａ）における供給に先だって、前記ビデオデータパケットの内の選択されたビデオデータパケットを格納するように適切に構成された記憶装置を含む、方法。
【請求項４】
請求項３記載の方法であって、
前記記憶装置は、１フレームラインに合致する少なくとも一定量のビデオデータパケットを格納するように構成されたラインバッファである、方法。
【請求項５】
請求項１記載の方法であって、
前記ビデオデータパケットのそれぞれは、パケットヘッダ及びパケットペイロードを含み、
前記パケットヘッダはパケットＩＤを含み、
前記パケットペイロードは対応するピクセルの駆動に適したビデオデータを含む、方法。
【請求項６】
デジタル表示装置であって、
複数のピクセル素子と、
ビデオデータパケットをリンクレートで受信及び配布するように構成されたインターフェースと、
ポイント・ツー・ポイントのデイジーチェーン構成において互いに接続された複数のデータラッチであって、それぞれが、前記インターフェースから直接ビデオデータパケットを受領し、前記受領されたビデオデータパケットに関連するビデオデータを格納し、前記格納されたビデオデータに基づいて前記ピクセル素子の内の選択されたピクセル素子を駆動するように構成された、複数のデータラッチと、を備え、
前記複数のデータラッチがポイント・ツー・ポイントのデイジーチェーン構成において互いに直接接続されているため、前記表示装置におけるピクセルクロックに対するいかなる要件も排除される、デジタル表示装置。
【請求項７】
請求項６記載の表示装置であって、
前記複数のデータラッチの内の選択されたデータラッチは、１ビデオフレーム中の１走査ラインに対応するライン期間τ内に適切なビデオデータを取り込む、表示装置。
【請求項８】
請求項７記載の表示装置であって、
前記ピクセル素子は行と列の形に配列される、表示装置。
【請求項９】
請求項８記載の表示装置であって、
前記ピクセル素子の列のそれぞれは、表示信号を供給するように構成された１つのカラムドライバに関連付けられている、表示装置。
【請求項１０】
請求項９記載の表示装置であって、
前記カラムドライバのそれぞれは、前記複数のデータラッチの内の一部を含む、表示装置。
【請求項１１】
請求項１０記載の表示装置であって、
前記ビデオデータパケットは、前記リンクレートで前記カラムドライバに直接送られる、表示装置。
【請求項１２】
請求項１１記載の表示装置であって、
走査線の本数に前記ライン期間を乗じた積は、ビデオフレーム期間以下である、表示装置。
【請求項１３】
請求項１２記載の表示装置であって、
前記表示装置は、リンクによってビデオソースに接続され、
前記ビデオソースは、パケットベースのビデオストリームを形成し、前記パケットベースのビデオストリームを前記リンクによって前記リンクレートで前記デジタル表示装置に伝送する、表示装置。
【請求項１４】
請求項１３記載の表示装置であって、
前記デジタル表示装置は、前記リンクに連結された記憶装置であって、前記ビデオデータパケットの内の選択されたビデオデータパケットを格納するように適切に構成された記憶装置を含む、表示装置。
【請求項１５】
請求項１４記載の表示装置であって、
前記記憶装置は、１フレームラインに合致する少なくとも一定量のビデオデータパケットを格納するように構成されたラインバッファである。表示装置。
【請求項１６】
請求項１５記載の表示装置であって、
前記ビデオデータパケットのそれぞれは、パケットヘッダ及びパケットペイロードを含み、
前記パケットヘッダはパケットＩＤを含み、
前記パケットペイロードは対応するピクセルの駆動に適したビデオデータを含む、表示装置。
【請求項１７】
選択されたピクセル素子を、カラムドライバに含まれる関連のデータラッチによって駆動するための、コンピュータプログラム製品であって、
ビデオソースから複数のビデオデータパケットをリンクレートで前記カラムドライバに直接供給するためのコンピュータコードと、
ビデオデータパケットに基づいて、適切なビデオデータをライン期間τ内に前記複数のデータラッチのそれぞれに取り込むためのコンピュータコードであって、前記複数のデータラッチがポイント・ツー・ポイントのデイジーチェーン構成において互いに直接接続されているために、表示装置におけるピクセルクロックに対するいかなる要件も排除される、コンピュータコードと、
前記ビデオデータに基づいて、選択されたピクセル素子を駆動するためのコンピュータコードと、
前記コンピュータコードを格納するためのコンピュータ読み出し可能媒体と、を備えるコンピュータプログラム製品。
【請求項１８】
請求項１７記載のコンピュータプログラム製品であって、さらに、
リンクによって前記デジタル表示装置に連結されたビデオソースにおいて、ビデオ信号を生成するためのコンピュータコードと、
前記ビデオ信号に基づいて、パケットベースのビデオストリームを形成するためのコンピュータコードと、
前記パケットベースのビデオストリームを、前記リンクレートで前記リンクによって前記デジタル表示装置に伝送するためのコンピュータコードと、を備えるコンピュータプログラム製品。
【請求項１９】
請求項１８記載のコンピュータプログラム製品であって、
前記デジタル表示装置は、前記リンクに連結された記憶装置であって、前記ビデオデータパケットの内の選択されたビデオデータパケットを格納するように適切に構成された記憶装置を含む、コンピュータプログラム製品。
【請求項２０】
請求項１９記載のコンピュータプログラム製品であって、
前記記憶装置は、１フレームラインに合致する、少なくとも一定量のビデオデータパケットを格納するように構成されたラインバッファである、コンピュータプログラム製品。
【請求項２１】
請求項２０記載のコンピュータプログラム製品であって、
前記ビデオデータパケットのそれぞれは、パケットヘッダ及びパケットペイロードを含み、
前記パケットヘッダはパケットＩＤを含み、
前記パケットペイロードは対応するピクセルを駆動するのに適したビデオデータを含む、コンピュータプログラム製品。